(57)【特許請求の範囲】
【請求項１】
複数枚のシートを積載する積載台と、
該積載台に積載されたシートを一枚ずつ分離して搬送路に給送する分離給送手段と、
該分離給送手段の下流側に配置され、搬送路に給送されたシートの重送を検知する重送検知手段と、
前記重送検知手段によりシートの重送が検知された際に、給送中のシートを給送方向とは逆の方向に戻す逆搬送を行う逆搬送手段と、
少なくとも逆搬送されるシートの状態を検知するシート状態検知手段と、
該シート状態検知手段の検知結果に基づいて、前記逆搬送手段によるシートの逆搬送を停止するか否かを判断する制御手段と、
を備えることを特徴とするシート給送装置。
【請求項２】
前記シート状態検知手段は、シートの跳ね上がりを検知する、
ことを特徴とする請求項１に記載のシート給送装置。
【請求項３】
前記シート状態検知手段は、シートの斜行を検知する、
ことを特徴とする請求項１に記載のシート給送装置。
【請求項４】
前記シート状態検知手段は、搬送路におけるシートの詰まりを検知する、
ことを特徴とする請求項１に記載のシート給送装置。
【請求項５】
前記シート状態検知手段は、前記積載台に積載された最も上のシートの送り動作を検知する、
ことを特徴とする請求項１に記載のシート給送装置。
【請求項６】
請求項１〜５のいずれか１項に記載のシート給送装置を備えたことを特徴とする画像読取装置。
【請求項７】
請求項１〜５のいずれか１項に記載のシート給送装置を備えたことを特徴とする画像形成装置。
【請求項８】
複数枚のシートを積載する積載台から分離給送手段によって一枚ずつ分離して搬送路に給送し、該分離給送手段の下流側に配置された重送検知手段によってシートの重送が検知されると、給送中のシートを給送方向とは逆の方向に戻す逆搬送を行うと共に、少なくとも逆搬送されるシートの状態を検知し、該シートの状態の検知結果に基づいてシートの逆搬送を停止するか否かを判断することを特徴とするシート給送装置の制御方法。
【請求項９】
請求項８に記載のシート給送装置の制御方法を画像読取装置の制御に用いたことを特徴とする画像読取装置の制御方法。
【請求項１０】
請求項８に記載のシート給送装置の制御方法を画像形成置の制御に用いたことを特徴とする画像形成装置の制御方法。
【発明の詳細な説明】
【技術分野】
【０００１】
本発明は、例えば、複写機、プリンタ、ファクシミリ、スキャナ等の画像形成装置、画像読取装置、これらに用いられるシート給送装置、シート給送装置の制御方法、画像読取装置の制御方法及び画像形成装置の制御方法に関する。
【背景技術】
【０００２】
近年、複写機、プリンタ、ファクシミリ等の画像形成装置では、表面をコートした厚紙に画像を形成すると品位の高い画像が得られるため、様々な表面コートが施されたシートや様々な厚さのシートに対応して画像形成を行うことが要求されている。
【０００３】
同様に、画像読取装置についても、このようなシートの多様化に伴い、さまざまなシートの安定した給送と搬送が要求されている。
【０００４】
しかし、静電気を発生しやすいシートや、表面処理されたシートなどでは、一度に複数枚の原稿を同時に搬送路に給送してしまう現象（重送）が発生する場合がある。
【０００５】
重送した複数枚のシートをそのまま搬送し続けた場合、画像形成装置では、例えばトナー等の定着不良を引き起こし、機内汚れ等の不具合が生じ、また、画像読取装置では、必要な情報を読み取れないといった不具合が生ずる。
【０００６】
したがって、画像形成装置や画像読取装置においては、上記のようなシートの重送を検知するために重送検知手段を配置し、シートの重送を検知した場合にシートの給送を停止させるようにしたものもある。
【０００７】
図８に、重送検知手段を配置した従来のシート給送装置を備えるスキャナを示す。
【０００８】
図８に示すシート給送装置は、給紙トレイ１０１に積載された原稿（シート）束の上面に当接して原稿を搬送方向に送り出すピックアップローラ１０２を備えている。
【０００９】
ピックアップローラ１０２により送り出された原稿１００ａは、給送ローラ１０４及び分離ローラ１０５によって１枚ずつ分離されて搬送路に給送される。
【００１０】
給送ローラ１０４及び分離ローラ１０５とレジストローラ対１１５との間には、原稿の重送を検知する重送検知手段１０７が配置されている。
【００１１】
従来のシート給送装置では、重送検知手段１０７で原稿の重送を検知した際、一般に、ピックアップローラ１０２により送り出された原稿を給送ローラ１０４及び分離ローラ１０５によって一枚ずつ分離給送する動作を停止して、重送発生の警告を出す。オペレータは、この警告等に基づいて重送した原稿を再給紙し、画像の欠落を防いでいる。
【００１２】
しかし、画像読取工程で原稿の重送が発生してしまうと、給紙が停止してしまい、オペレータは重送した原稿を取り除いたり、読取途中の原稿が装置内に残っていないか確認する必要がある。
【００１３】
また、スキャナ自体も原稿の重送が発生する毎に動作が一時停止するので稼動率の低下は避けられないため、大量の原稿を処理する際に作業効率が大幅に低下してしまう。
【００１４】
このような不都合を解消するため、原稿の重送を検知した場合、一旦原稿の給紙動作を停止し、重送した原稿１００ａを自動で給紙トレイ１０１側に戻して、再度分離給送動作を行う戻し動作を行うスキャナが提案されている（特許文献１）。
【００１５】
このようなスキャナでは、原稿の重送を検知した後、給送ローラ１０４を原稿の給送方向とは逆方向に回転させ、分離ローラ１０５を原稿の分離方向に回転させることで、重送した原稿を給紙トレイ１０１側へ戻すことができる。
【特許文献１】特開２００１−１５８５３８号公報
【発明の開示】
【発明が解決しようとする課題】
【００１６】
ところで、業務用等の画像読取装置では、手形や小切手、契約書などといったシートを扱う場合がある。また、このような画像読取装置で分離給送され搬送されるシートは、ステープルで綴じられたシートや非常に薄い原稿などが多い。
【００１７】
この場合、上記特許文献１に開示されたスキャナにおいて、ステープルで綴じられたシートや、大きく斜行し搬送路に詰まってしまったシートを重送検知時に給紙トレイ１０１側に戻すと、シートが破損するといった問題がある。
【００１８】
また、重送したシートを給紙トレイ１０１側に戻す際に、シートが斜行し、あるいは、ステープルで綴じられたシートが跳ね上がって給紙トレイ１０１の周辺に詰まり、シートが破損するといった問題がある。
【００１９】
また、重送したシートが給紙トレイ１０１側に戻る際に、該シートが給紙トレイ１０１に積載されている他のシートを押しのけて積載されたシートの間に入り込んでしまい、給紙トレイ１０１に積載されたシートの積載順が乱れてしまうといった問題がある。
【００２０】
そこで、本発明は、重送した複数枚のシートを給送方向と逆方向に戻す際に、シートが破損したり、積載台に積載された他のシート間に入り込んで積載台でのシートの積載順が乱れたりするのを防止することができるシート給送装置、画像読取装置、画像形成装置、シート給送装置の制御方法、画像読取装置の制御方法及び画像形成装置の制御方法を提供することを目的とする。
【課題を解決するための手段】
【００２１】
上記目的を達成するために、請求項１に記載のシート給送装置は、複数枚のシートを積載する積載台と、該積載台に積載されたシートを一枚ずつ分離して搬送路に給送する分離給送手段と、該分離給送手段の下流側に配置され、搬送路に給送されたシートの重送を検知する重送検知手段と、前記重送検知手段によりシートの重送が検知された際に、給送中のシートを給送方向とは逆の方向に戻す逆搬送を行う逆搬送手段と、少なくとも逆搬送されるシートの状態を検知するシート状態検知手段と、該シート状態検知手段の検知結果に基づいて、前記逆搬送手段によるシートの逆搬送を停止するか否かを判断する制御手段と、を備えることを特徴とする。
上記目的を達成するために、本発明のシート給送装置の制御方法は、複数枚のシートを積載する積載台から分離給送手段によって一枚ずつ分離して搬送路に給送し、該分離給送手段の下流側に配置された重送検知手段によってシートの重送が検知されると、給送中のシートを給送方向とは逆の方向に戻す逆搬送を行うと共に、少なくとも逆搬送されるシートの状態を検知し、該シートの状態の検知結果に基づいてシートの逆搬送を停止するか否かを判断することを特徴とする。
【発明の効果】
【００２６】
本発明によれば、重送した複数枚のシートを給送方向と逆方向に戻す際に、シートが破損したり、積載台に積載された他のシート間に入り込んで積載台に積載されたシートの積載順が乱れたりするのを防止することができる。
【発明を実施するための最良の形態】
【００２７】
以下、本発明の実施形態を図面を参照して説明する。
【００２８】
（第１の実施形態）
図１は本発明の第１の実施形態であるシート給送装置を説明するための断面図、図２は図１のシート給送装置を備えるスキャナを説明するための断面図である。
【００２９】
図１及び図２に示すように、本実施形態のシート給送装置は、給紙トレイ（積載台）１０１、ピックアップローラ１０２、給送ローラ１０４、分離ローラ１０５、重送検知手段１０７、及び戻しローラ１０８を備える。ここで、本実施形態では、給送ローラ１０７と分離ローラ１０５とによって本発明の分離給送手段を構成している。
【００３０】
ピックアップローラ１０２は、給紙トレイ１０１に積載された原稿（シート）束１００の上面に当接して原稿１００ａを搬送方向に送り出す。ピックアップローラ１０２は、揺動アーム１０３に回転自在に支持されており、揺動アーム１０３は、支軸１０３ａによって揺動可能に支持されている。
【００３１】
ピックアップローラ１０２により送り出された原稿１００ａは、給送ローラ１０４及び分離ローラ１０５によって１枚ずつ分離されて搬送路に給送される。搬送路の上下には、搬送路を搬送される原稿の姿勢を規制しつつ該原稿を搬送路に沿って案内する搬送ガイド１１３が配置されている。
【００３２】
給送ローラ１０４及び分離ローラ１０５とレジストローラ対１１５との間には、原稿の重送を検知する重送検知手段１０７が配置されている。
【００３３】
重送検知手段１０７には、原稿が一枚の場合と複数枚の場合とで透過する光量の変化により重送を検知する透過型光センサ等の光学式重送検知センサが知られている。また、重送検知手段１０７には、原稿の搬送路を間に挟んで超音波の発信器と受信器とを配置し、原稿が一枚給送されているときの超音波の減衰を基準として、これより大きい減衰を検知したときに重送と判断する超音波式重送検知センサが知られている。
【００３４】
給送ローラ１０４及び分離ローラ１０５と重送検知手段１０７との間には、レジストセンサ１０６が配置されており、レジストセンサ１０６による原稿の検知結果を基に不図示の制御手段により次の原稿の給紙タイミング等が決定される。
【００３５】
給送ローラ１０４の軸方向の両端側には、原稿の給紙方向に対して少なくとも逆の方向に回転駆動される一対の戻しローラ（逆搬送手段）１０８が略対称な位置に配置されている。
【００３６】
図１に示すように、一対の戻しローラ１０８は、その軸線が給送ローラ１０４の軸線と略同等の位置、すなわち、軸方向から見て給送ローラ１０４に重なるように配置されている。なお、一対の戻しローラ１０８は、その軸線が給送ローラ１０４の軸線より搬送路の上流側に配置されていてもよい。
【００３７】
また、一対の戻しローラ１０８は、それぞれアーム１０９に支軸１０９ａを介して回転可能に支持されており、アーム１０９は、給紙された原稿の状態に応じて戻しローラ１０８を原稿に当接する位置と退避する位置とに移動可能に配置されている。
【００３８】
アーム１０９には、不図示の駆動手段により駆動される駆動プーリ１１０ａが取り付けられており、駆動プーリ１１０ａの回転駆動力がタイミングベルト１１０ｂを介して戻しローラ１０８に取り付けられた従動プーリ１１０ｃに伝達される。これにより、戻しローラ１０８が原稿の給紙方向に対して逆の方向に回転駆動される。
【００３９】
また、アーム１０９は、引張りコイルばね１１２によって戻しローラ１０８が一定の荷重で原稿に当接する方向に付勢された状態で、回転レバー１１１のカム作用によって戻しローラ１０８が原稿に当接する位置と、原稿から退避する位置とに揺動する。
【００４０】
即ち、アーム１０９は、原稿の正常な分離給送が行われているときは、回転レバー１１１とカム係合することで給紙された原稿から戻しローラ１０８を退避させる位置に変位する。
【００４１】
この状態で、回転レバー１１１が回転してアーム１０９とのカム係合が解除されると、アーム１０９は、引張りコイルばね１１２の付勢力により、戻しローラ１０８が給紙された原稿に対して一定の荷重で押圧接触する位置まで揺動する。なお、回転レバー１１１の回転制御及び駆動プーリ１１０ａの駆動手段の制御は、不図示の制御手段によって行われる。
【００４２】
戻しローラ１０８に対して搬送路を挟んで対向する位置には、戻し従動ローラ１１４が配置されている。戻し従動ローラ１１４は、搬送ガイド１１３に回転可能に支持されている。
【００４３】
レジストローラ対１１５の下流側には、搬送路を搬送される原稿の画像を光電変換により読み取って画像データとして取り込むための画像読取部１１６が配置されている。画像読取部１１６で画像が読み取られた原稿は、搬送ローラ対１１７及び排紙ローラ対１１８を介して排紙トレイ１１９に排出される。
【００４４】
次に、上記構成のスキャナの一連の動作例について説明する。なお、ここで説明するスキャナの一連の動作は、不図示の記憶手段（ＲＯＭやハードディスク等）に記憶された制御プログラムが不図示のＲＡＭにロードされて、不図示の制御手段（ＣＰＵ等）により実行される。
【００４５】
まず、制御手段は、不図示のＰＣ等の外部装置からの画像読取命令が入力されると、揺動アーム１０３及びピックアップローラ１０２の不図示の駆動機構を制御してピックアップローラ１０２を図１の矢印ａ方向に移動させると共に回転させる。これにより、ピックアップローラ１０２が給紙トレイ１０１に積載された原稿束１００の上面に当接して、原稿を送り出す動作が開始される。
【００４６】
ピックアップローラ１０２によって送り出された原稿は、制御手段の制御により駆動される給送ローラ１０４及び分離ローラ１０５によって１枚ずつ分離されて搬送路に給送される。
【００４７】
ここで、給送ローラ１０４の駆動軸と給送ローラ１０４とは、不図示のワンウェイクラッチを介して連結されている。そして、レジストローラ対１１５によって搬送される原稿の搬送速度が給送ローラ１０４による原稿の給送速度よりも速くなった場合は、給送ローラ１０４は搬送される原稿に連れ回りさせられる。
【００４８】
また、分離ローラ１０５は、不図示のトルクリミッタを介して原稿の給送方向とは逆の方向に駆動されており、トルクリミッタの伝達可能なトルクを超えるトルクが作用すると原稿の給送方向へ連れ回りする。
【００４９】
この状態では、制御手段は、回転レバー１１１がアーム１０９にカム係合するように該回転レバー１１１の回転位置を制御しており、戻しローラ１０８の外周部は、図１に示すように、上側の搬送ガイド１１３と略同一面上の位置まで退避している。
【００５０】
ここで、戻しローラ１０８を搬送ガイド１１３よりも上方位置に退避させた場合、搬送ガイド１１３の戻しローラ１０８に対応する位置にある穴に原稿が引っかかる可能性があるので、戻しローラ１０８が退避した後に別の部材で穴を覆う必要がある。この場合、部品点数が増え、構造が複雑になってコスト増になる。
【００５１】
一方、戻しローラ１０８は、一般に原稿の搬送力を確保するためゴムなどの摩擦係数の高い材料を用いており、退避位置で原稿が接触すれば原稿に対して大きな負荷となるため原稿の斜行や紙詰まりの原因になってしまう。
【００５２】
そのため、原稿の正常な給送動作が行われているときは、戻しローラ１０８を搬送ガイド１１３の位置まで退避させ、給送ローラ１０４と同一方向で且つ同一周速で回転させて原稿の搬送をガイドする機能を持たせることが好ましい。
【００５３】
次に、搬送路に分離給送された原稿がレジストセンサ１０６まで搬送されると、制御手段は、レジストセンサ１０６による原稿の検知信号を基に、前記駆動機構を制御してピックアップローラ１０２を原稿から退避させるように揺動アーム１０３を移動させる。これにより、次の原稿の送り出しが停止される。
【００５４】
次に、制御手段は、重送検知手段１０７からの検知信号を基に原稿が重送されているか否かを判断する。そして、原稿が重送されていないと判断した場合は、制御手段は、原稿の搬送を継続して、原稿がレジストローラ対１１５に到達した後、原稿を一定の速度で画像読取部１１６へ搬送して該画像読取部１１６によって原稿の画像の読取処理を行う。
【００５５】
画像読取部１１６を通過した原稿は、搬送ローラ対１１７及び排紙ローラ対１１８により排紙トレイ１１９へ排出される。以上の動作を原稿１枚ごとに行うことで、給紙トレイ１０１に積載された原稿の画像が画像読取部１１６により全て読取られる。
【００５６】
一方、重送検知手段１０７からの検知信号を基に制御手段が原稿が重送されていると判断した場合は、制御手段は、給送ローラ１０４及び分離ローラ１０５による原稿の分離給送動作を一旦停止するように各ローラ１０４，１０５の駆動系を制御する。
【００５７】
このとき、重送した複数枚の原稿は搬送路で停止させられ、それ以前に搬送路に給送された原稿は上記同様にして、画像読取部１１６で画像が読み取られた後、搬送ローラ対１１７及び排紙ローラ対１１８を介して排紙トレイ１１９に排出される。
【００５８】
次に、制御手段は、回転レバー１１１とアーム１０９とのカム係合が解除されるように回転レバー１１１の回転位置を制御する。これにより、アーム１０９が引張りコイルばね１１２の付勢力により図１の反時計回り方向に回動して、戻しローラ１０８が重送した複数枚の原稿を戻し従動ローラ１１４との間で挟み込んだ状態で該原稿に対して一定の荷重で押圧接触する。
【００５９】
そして、制御手段は、重送した複数枚の原稿を給紙トレイ１０１側（図３の矢印Ｄ方向）に戻すように、給送ローラ１０４と分離ローラ１０５と戻しローラ１０８との駆動系を制御して各ローラ１０４，１０５，１０８を原稿の給送方向と逆方向に回転させる。これにより、重送した複数枚の原稿を給紙トレイ１０１側に戻すための搬送力を十分に得ることができる。
【００６０】
このとき、重送した複数枚の原稿は重送検知手段１０７又はレジストセンサ１０６を抜けた後、例えば、所定時間又は戻しローラ１０８の駆動モータの所定回転量だけ搬送されて停止する。
【００６１】
また、制御手段は、原稿の重送を検知するか否かに関わらず、戻しローラ１０８を原稿の給送方向と逆方向に回転させるようにしておき、アーム１０９の回動により戻しローラ１０８を当接させたり退避させたりするようにしてもよい。
【００６２】
重送した複数枚の原稿を給紙トレイ１０１側に戻した後、制御手段は、回転レバー１１１がアーム１０９にカム係合するように該回転レバー１１１の回転位置を制御する。これにより、戻しローラ１０８の外周部が上側の搬送ガイド１１３と略同一面上の位置まで退避する。
【００６３】
そして、制御手段は、給紙トレイ１０１側へ戻された原稿を、再度、上記同様にして、搬送路へ分離給送するように、ピックアップローラ１０２、給送ローラ１０４及び分離ローラ１０５等の駆動系を制御する。
【００６４】
ここで、本実施形態では、ピックアップローラ１０２の原稿の幅方向の両側に、搬送路に給送中の原稿の状態を検知する跳ね上がり検知センサ（シート状態検知手段）２０１を配置している。
【００６５】
跳ね上がり検知センサ２０１の検知結果に基づいて、制御手段が、重送した複数枚の原稿を給送方向とは逆の方向へ戻す際に、原稿の破損を引き起こす可能性があるか否かを判断する。跳ね上がり検知センサ２０１としては、例えば、特開２００４−１８２４４９号公報に開示されている跳ね上がり検知センサが使用可能である。
【００６６】
なお、シート状態検知手段には、跳ね上がり検知センサ２０１の他に、例えば、原稿の斜行を検知するセンサ、原稿の搬送ガイドへの乗り上げを検知するセンサ、紙種を検知するセンサ、レジストセンサ近傍での紙詰まりを検知するセンサを例示できる。
【００６７】
ところで、複数枚の原稿を順次分離給送しているときにステープルで束ねられた原稿が混入していると、給送方向へ回転する給送ローラ１０４と、給送方向と逆方向に回転駆動される分離ローラ１０５との作用により、原稿の跳ね上がりが生じる。
【００６８】
跳ね上がりが発生した状態で原稿の給送を続けると、原稿が搬送路に詰まり、原稿が破損する。このため、制御手段は、跳ね上がり検知センサ２０１の信号によって原稿の跳ね上がりを検知した場合は、給送ローラ１０４及び分離ローラ１０５の回転を停止させるように各ローラ１０４，１０５の駆動系を制御して原稿の給送を中断する。
【００６９】
また、本実施形態では、制御手段は、重送検知手段１０７からの信号により原稿が重送していると判断した場合は、上述したように、重送した複数枚の原稿を給紙トレイ１０１側に戻すように、分離ローラ１０５と戻しローラ１０８との駆動系を制御する。即ち、分離ローラ１０５及び戻しローラ１０８が原稿の給送方向と逆方向に回転駆動される。
【００７０】
このとき、制御手段は、跳ね上がり検知センサ２０１からの信号により原稿の跳ね上がりが検知されていた場合は、原稿を給紙トレイ１０１側に戻すと原稿を破損する可能性が高いため、原稿の給紙トレイ１０１側への搬送を中断する。
【００７１】
即ち、制御手段は、分離ローラ１０５及び戻しローラ１０８の回転を停止させるように各ローラ１０５，１０８の駆動系を制御する。
【００７２】
一方、原稿の重送をできるだけ素早く検知するように重送検知手段１０７は原稿の給送方向のできるだけ上流に配置されている。そのため、原稿の重送を検知した時点では、ステープル止めされた原稿であっても跳ね上がり検知センサ２０１で原稿の跳ね上がりが検知できないことがある。
【００７３】
この場合、本実施形態では、重送検知手段１０７からの信号により制御手段が原稿が重送していると判断して、上述したように、重送した複数枚の原稿が給紙トレイ１０１側に戻されることになる。
【００７４】
ステープル止めされた位置が搬送方向から見て原稿の左上であるとして説明すると、原稿の重送を検知した時点では、原稿のステープル止め部は給送ローラ１０４を通過している可能性が高い。
【００７５】
この状態で、原稿を給紙トレイ１０１側に戻す逆搬送を行った場合、原稿のステープル止め部付近が給送ローラ１０４と分離ローラ１０５との間に詰まり、ステープル止めされていない原稿の右側部分のみが、給紙トレイ１０１側に戻されることになる。
【００７６】
結果的に、原稿は左側が詰まりによって停止させられた状態で、右側のみが給紙トレイ１０１側に戻され、跳ね上がりが生じる。原稿の跳ね上がりが発生した状態で原稿を給紙トレイ１０１側に戻す逆搬送を続けると、原稿が破損する可能性がある。
【００７７】
また、原稿の跳ね上がりが発生しない場合においても、給紙トレイ１０１側に逆搬送される原稿が給紙トレイ１０１に積載された原稿束の中に入り込んだり、他の原稿を押し出したりして積載順が乱れたりする可能性がある。
【００７８】
図４及び図５は、給紙トレイ１０１に積載された原稿の積載順が乱れてしまう現象を説明するための説明図である。
【００７９】
図４において、重送原稿１００ａの後端が原稿束１００の前端よりも下流側へ送られてから重送原稿１００ａが逆搬送される場合、原稿束１００の一部を押し上げて、原稿束１００の間に入り込む場合がある。
【００８０】
図５に示すように、跳ね上がり検知センサ２０１は、給紙トレイ１０１の給紙口側の端部にできるだけ近い位置、すなわち原稿束１００の先端に対して近い位置に配置される。跳ね上がり検知センサ２０１の発光部２０１ａから発光される光は矢印Ｅで示される方向に照射され、跳ね上がり検知センサ２０１の受光部２０１ｂで受光される。
【００８１】
ここで、給紙トレイ１０１側に逆搬送された重送原稿１００ａが原稿束１００の先端部を押して原稿束１００の間に入り込む動作が行われると、原稿束１００の一部の原稿は上方向に押し上げられ、発光部２０１ａから照射される光が遮られる。これにより、受光部２０１ｂの出力信号が変化するため、跳ね上がり検知センサ２０１を用いることで、原稿の積載順が乱れた状態を検知することができる。
【００８２】
そこで、本実施形態では、制御手段は、原稿の分離給送動作中のみならず、重送した原稿を給紙トレイ１０１側に戻す逆搬送中にも跳ね上がり検知センサ２０１の出力信号を監視する。
【００８３】
そして、制御手段は、原稿を給紙トレイ１０１側に戻す逆搬送中に跳ね上がり検知センサ２０１からの信号により原稿の跳ね上がりや原稿の積載順の乱れを検知した場合は、原稿を給紙トレイ１０１側へ戻す逆搬送を中断する。又は原稿の逆搬送を開始しようとする場合に、原稿の跳ね上がりを検知したときは、逆搬送を開始しないようにする。
【００８４】
即ち、制御手段は、給送ローラ１０４、分離ローラ１０５及び戻しローラ１０８の回転を停止させるように各ローラ１０４、１０５，１０８の駆動系を制御する。
【００８５】
なお、ここでは、画像読取装置における原稿の破損等について説明したが、画像形成装置等においては、例えば転写ドラムの破損等も詰まったシートの逆搬送によって発生することが考えられ、原稿の破損防止だけに限らないことは言うまでもない。
【００８６】
一方、原稿を給紙トレイ１０１側に戻す逆搬送中に原稿の跳ね上がり等を検知しなかった場合は、制御手段は、重送した原稿を給紙トレイ１０１側に戻した後、回転レバー１１１がアーム１０９にカム係合するように該回転レバー１１１の回転位置を制御する。
【００８７】
これにより、戻しローラ１０８の外周部が上側の搬送ガイド１１３と略同一面上の位置まで退避する。また、制御手段は、ピックアップローラ１０４が原稿に当接する位置まで揺動アーム１０３が回動するように該揺動アーム１０３の駆動系を制御する。
【００８８】
原稿は、重送検知手段１０７又はレジストセンサ１０６を抜けた後、所定時間又はモータの所定回転量だけ戻されるので、図３に示すように、ほぼ給送ローラ１０４と分離ローラ１０５とが接するニップ部を先端が抜けるまで戻されている。
【００８９】
続いて、制御手段は、給紙トレイ１０１側へ戻された原稿を、再度、上記同様にして、搬送路へ１枚ずつ分離給送するように、ピックアップローラ１０２、給送ローラ１０４及び分離ローラ１０５等の駆動系を制御する。
【００９０】
なお、重送した原稿の再度の分離給送動作は自動的に行われるようにしているが、原稿が給紙トレイ１０１側に逆搬送された状態で画像読取部１１６による原稿の画像の読取りを中止するようにしてもよい。その場合、オペレータは、給紙トレイ１０１側に逆搬送された原稿を確認して再読取等を指示する操作を行う。
【００９１】
以上説明したように、本実施形態では、重送した原稿を給紙トレイ１０１側に戻す逆搬送中にも跳ね上がり検知センサ２０１の出力信号を監視して、原稿の跳ね上がりや原稿の積載順の乱れを検知した場合は、原稿を給紙トレイ１０１側へ戻す逆搬送を中断する。
【００９２】
これにより、重送した原稿を給紙トレイ１０１側に戻す際に、原稿が破損したり、給紙トレイ１０１に積載された他の原稿間に入り込んで給紙トレイ１０１に積載された原稿の積載順が乱れたりするのを防止することができる。
【００９３】
（第２の実施形態）
次に、図６を参照して、本発明の第２の実施形態であるシート給送装置について説明する。
【００９４】
上記第１の実施形態では、跳ね上がり検知センサ２０１を利用して、原稿の積載順の乱れを検知するようにしたが、本実施形態では、給紙トレイ１０１に積載された原稿束１００の最上面の原稿の動きを監視して原稿の積載順の乱れを検知する。
【００９５】
即ち、本実施形態では、図６に示すように、給紙トレイ１０１に積載された原稿束１００の搬送方向の先端側において、該原稿束１００の最上面の原稿に当接するように原稿送り検知ローラ（シート状態検知手段）２０４を配置している。
【００９６】
原稿送り検知ローラ２０４は、原稿の給送動作や戻し動作によって移動する原稿に従動して回転する従動ローラである。
【００９７】
原稿送り検知ローラ２０４には、例えば不図示のエンコーダが接続されており、従って、制御手段は、エンコーダの出力を基に、原稿の移動方向及び移動量を検知することが可能である。
【００９８】
通常、原稿の給紙トレイ１０１側への逆搬送が正常に行われると、給紙トレイ１０１側に戻される原稿に当接する原稿送り検知ローラ２０４は戻し方向に回転する。
【００９９】
しかし、重送した原稿１００ａが原稿束１００の間に入り込むように戻されて原稿の積載順が乱れる場合、原稿送り検知ローラ２０４は原稿束１００の最上面の原稿に当接しているため、殆ど回転しない。
【０１００】
従って、制御手段は、エンコーダの出力信号を監視することで、原稿の積載順の乱れを検知することができる。原稿の積載順の乱れを検知した後の制御手段の処理は上記と同様である。
【０１０１】
なお、原稿の送り動作を検知する手段としては、原稿送り検知ローラ２０４の他に、例えば二次元イメージセンサ等により、最も上の原稿の画像や表面の凹凸等を解析することにより、最も上の原稿の送り動作を検知することができる。その他の構成及び作用効果は、上記第１の実施形態と同様である。
【０１０２】
（第３の実施形態）
次に、図７を参照して、本発明の第３の実施形態であるシート給送装置について説明する。
【０１０３】
図７は、給送中の原稿１００ａが斜行している状態を示す図である。原稿が斜行すると、原稿の角部等が原稿ガイド部材２０２の設置位置を超えてしまう場合があり、この場合、重送原稿を給紙トレイ１０１側に戻す逆搬送を行うと、原稿が原稿ガイド部材２０２等に食い込み、原稿が破損に至ることがある。
【０１０４】
このような原稿の斜行状態を検知する方法の一例として、斜行検知手段としてのラインイメージセンサ２０３を２つの原稿ガイド部材２０２に跨がるように配置し、原稿の幅方向の側部を検知する方法がある。
【０１０５】
例えば、ラインイメージセンサ２０３により原稿が原稿ガイド部材２０２の設置位置を越えたことを検知して、制御手段が原稿が斜行していると判断することが可能である。また、所定の時間ごとに原稿の幅方向の側部の位置をラインイメージセンサ２０３により複数回検知し、この情報を基に制御手段が原稿の斜行量を算出することも可能である。
【０１０６】
これらの方法により、原稿の詰まりや破損等の発生が予想される一定限度以上の原稿の斜行が発生していると判断した場合に、制御手段は、原稿の逆搬送を中断するか又は原稿の逆搬送を開始しないように上記同様な制御を行う。これにより、原稿等の破損を防止することが可能である。その他の構成及び作用効果は、上記第１の実施形態と同様である。
【０１０７】
（第４の実施形態）
次に、図３を流用して、本発明の第４の実施形態であるシート給送装置について説明する。
【０１０８】
本実施形態は、シート状態検知手段にレジストセンサ１０６を利用した例である。通常の原稿の分離給送動作において、レジストセンサ１０６を通過後、重送検知手段１０７に到達するまでに要する時間は実測又は計算で求められる。従って、この時間を原稿の重送検知時間としてあらかじめ又は実測するたび毎等に不図示の記憶手段に記憶しておく。
【０１０９】
一方、重送した原稿を給紙トレイ１０１側に戻す逆搬送を行っているときは、原稿の詰まり等が無い状態であれば、重送検知手段１０７に検知されなくなった後、上記重送検知時間に略等しい時間が経過するとレジストセンサ１０６の出力はオフするはずである。
【０１１０】
上記重送検知時間を超えてもレジストセンサ１０６の出力がオフしない場合には、制御手段は、原稿の逆搬送時に原稿詰まりなどが発生していると判断して、原稿の逆搬送を中断するように上記同様の制御を行う。原稿の給送速度と逆搬送速度とが異なる場合は、制御手段は、それらの比率を上記重送検知時間に演算して判断すればよい。
【０１１１】
本実施形態では、シート状態検知手段にレジストセンサ１０６を利用した場合を例示したが、レジストセンサ以外のセンサを利用しても良く、また別途用意したセンサを利用しても良い。また、重送検知時間として給送方向への原稿の搬送時間を利用したが、機器の仕様に合わせて、最大可搬原稿の長さに相当するような時間に設定しても良い。
【０１１２】
重送検知手段１０７により、重送した原稿の他、１枚の原稿の検知も可能である場合はどちらの検知時間を利用しても良いが、後者を利用するほうが上記判断がより精度良く行えるため好適である。その他の構成及び作用効果は、上記第１の実施形態と同様である。
【０１１３】
なお、本発明は、上記各実施形態に例示したものに限定されるものではなく、本発明の要旨を逸脱しない範囲において適宜変更可能である。
【図面の簡単な説明】
【０１１４】
【図１】本発明の第１の実施形態であるシート給送装置を説明するための断面図である。
【図２】図１のシート給送装置を備えるスキャナを説明するための断面図である。
【図３】重送した複数枚の原稿を給紙トレイ側に戻す様子を説明するための断面図である。
【図４】給紙トレイに積載された原稿の積載順が乱れてしまう現象を説明するための側面図である。
【図５】給紙トレイに積載された原稿の積載順が乱れてしまう現象を説明するための平面図である。
【図６】本発明の第２の実施形態であるシート給送装置について説明するための説明図である。
【図７】本発明の第３の実施形態であるシート給送装置について説明するための説明図である。
【図８】従来のシート給送装置を説明するための断面図である。
【符号の説明】
【０１１５】
１００  原稿束
１００ａ  原稿
１０１  給紙トレイ
１０２  ピックアップローラ
１０３  揺動アーム
１０４  給送ローラ
１０５  分離ローラ
１０６  レジストセンサ
１０７  重送検知手段
１０８  戻しローラ
１０９  アーム
１１１  回転レバー
１１２  引張りコイルばね
１１４  戻し従動ローラ
２０１  跳ね上がり検知センサ
２０１ａ  発光部
２０１ｂ  受光部
２０２  原稿ガイド部材
２０３  ラインイメージセンサ
２０４  原稿送り検知ローラ
【図１】
0005070029.tif 000002
【図２】
0005070029.tif 000003
【図３】
0005070029.tif 000004
【図４】
0005070029.tif 000005
【図５】
0005070029.tif 000006
【図６】
0005070029.tif 000007
【図７】
0005070029.tif 000008
【図８】
0005070029.tif 000009